(57)【要約】【課題】量産に対応でき、かつ、形状が良好な形状記憶スプリングワッシャが得られる形状記憶スプリングワッシャのコイル縮径装置を提供する。【解決手段】形状記憶合金からなる線材をコイル状に巻く巻取り工程、形状記憶処理工程、コイル形状に巻かれた該線材のコイル径を縮径させる縮径工程、及び、スプリングワッシャ形状に切断する切断工程よりなる形状記憶スプリングワッシャの製造方法に用いる形状記憶スプリングワッシャのコイル縮径装置。【選択図】図４
2010201508.tif 000002
【特許請求の範囲】
【請求項１】
コイル形状に巻かれた線材のコイル径を縮径するための縮径部として前記線材のコイルの外周から圧接するためのローラを２つ以上備えたコイル縮径装置であって、
未縮コイル径の前記線材を前記縮径部へセットする時に、前記ローラ同士の距離の少なくとも一部を拡大させるローラ距離拡大手段を備えたことを特徴とするコイル縮径装置。
【請求項２】
少なくとも２以上の前記ローラを一組とし、前記コイルと同軸で回転されるか、または前記コイルを回転させながら、前記コイルの未縮径部が前記ローラ間に供給されるように移動したことを特徴とする請求項１に記載のコイル縮径装置。
【請求項３】
前記コイルの軸にほぼ直交するとともに、前記コイルの未縮径部を供給するための供給孔を有する基板を、前記供給孔を含む分割線に沿って固定部と可動部に分割し、この固定部と可動部とにそれぞれ前記ローラを回転軸により支持したことを特徴とする請求項１に記載のコイル縮径装置。
【発明の詳細な説明】
【技術分野】
【０００１】  本発明は、スプリングワッシャーの製造に用いるコイル縮径装置に関する。
【背景技術】
【０００２】  リサイクル時代を迎え、電気機器などがリサイクルされるを前提に製造されるようになってきた。このような電気機器などの分解を容易にする技術として、本発明者等によって特開２００５−１６７１３公報によって提案された、形状記憶合金からなるスプリングワッシャ（以下「形状記憶スプリングワッシャ」と云う）を用いた構造が挙げられる。【０００３】  このような構造に用いられる形状記憶スプリングワッシャ（ばね座がね）は、通常は普通のスプリングワッシャ同様に用いられて、たとえば電化製品の組み立てに用いられるねじのゆるみ防止に寄与するが、所定の温度以上に加熱されると、その形状記憶性により拡径する。そのとき、ねじの頭の径よりも大きく拡径することにより、ねじをゆるめることなく、その電化製品を分解することができる。【０００４】  このような形状記憶スプリングワッシャは次のように製造されていた。【０００５】  まず、チタン・ニッケル合金等の形状記憶金属からなる線材を所定の太さ、断面形状となるように引き抜き成形、あるいはローラ延伸する。次いで、所定の内径（併用するねじの頭の径よりも大きい）でコイル状に巻き取り、切断する。切断では、通常のスプリングワッシャとは異なり、３６０°に達せず、側面から見たときに切り欠かけができるように（図６（ａ）参照）切断する。【０００６】  切断後、例えば３００℃などの適切な温度で形状記憶処理を行う。このとき、温度条件等により縮径する場合があるので、その場合には上記コイル状に巻き取るときの径を若干大きくするよう調整しておく。【０００７】  形状記憶処理後に、通常のスプリングワッシャの形状（図６（ｂ）参照）になるよう、縮径加工する。このとき、初期検討時にはペンチなどを用いて加工していたが、真円のドーナツ形状とならず、いびつなものとなり、締め付け性に劣ったり、加熱時でのねじの頭の通過ができない場合が生じたりし、また、１つずつしか加工できないので、専用の可動型を作成してこれにより縮径加工するようにしたため、数個の同時加工が可能となった。【０００８】  しかしながら、上記のような製造方法では生産性が低く、量産への対応が困難であり、将来予想される大量需要には対応しきれず、その改善が求められていた。
【特許文献１】特開２００５−１６７１３公報
【発明の開示】
【発明が解決しようとする課題】
【０００９】  本発明は、上記した従来の問題点を改善する、すなわち、量産に対応でき、かつ、加熱された時に対応するねじの頭が確実に通過できる形状となる、形状記憶スプリングワッシャの製造に用いるコイル縮径装置を提供することを目的とする。
【課題を解決するための手段】
【００１０】  本発明のコイル縮径装置よれば上記課題を解決するため、請求項１に記載の通り、
コイル形状に巻かれた線材のコイル径を縮径するための縮径部として前記線材のコイルの外周から圧接するためのローラを２つ以上備えたコイル縮径装置であって、
未縮コイル径の前記線材を前記縮径部へセットする時に、前記ローラ同士の距離の少なくとも一部を拡大させるローラ距離拡大手段を備えたコイル縮径装置。【００１１】  本発明のコイル縮径装置は、請求項２に記載の通り、請求項１に記載のコイル縮径装置において、
少なくとも２以上のローラを一組とし、前記コイルと同軸で回転されるか、または前記コイルを回転させながら、前記コイルの未縮径部が前記ローラ間に供給されるように移動したことを特徴とする。【００１２】  本発明のコイル縮径装置は、請求項３に記載の通り、請求項１に記載のコイル縮径装置において、
前記コイルの軸にほぼ直交するとともに、未縮径部を供給するための供給孔を有する基板を、前記供給孔を含む分割線に沿って固定部と可動部に分割し、この固定部と可動部とにそれぞれ前記ローラを回転軸により支持したことを特徴とする。
【発明の効果】
【００１３】  本発明のコイル縮径装置を用いた形状記憶スプリングワッシャの製造方法によれば、最終的に製品を得る工程である切断工程の直前までをコイル状のまま行うことができるので、生産性が高く、しかも、スプリングワッシャとして用いられる径に縮径させる縮径工程をコイル状のまま行うことができるので、歪みのない真円に近い形状のスプリングワッシャを得ることができる。
そのため、スプリングワッシャとしての機能が損なわれることもなく、また、加熱による拡径時には確実にねじの頭部が通過することができる。【００１４】  さらに、本発明のコイル縮径装置によれば、極めて生産性良くコイルの縮径が可能となり、特に熱処理後の縮径が必要な形状記憶スプリングワッシャの製造方法に応用した場合、極めて生産性良く形状記憶スプリングワッシャを得ることができる。【００１５】  このとき、ローラ同士の距離の少なくとも一部を一時的に拡大させる、ローラ距離拡大手段を備えることにより、装置へのコイルのセットがきわめて容易、かつ、確実とすることができる。
【図面の簡単な説明】
【００１６】
【図１】形状記憶合金からなる線材を引き抜き成形して、必要な太さ・形状とする工程を示すモデル断面図である。
【図２】形状記憶合金からなる線材をコイル状に巻き上げる巻き取り工程の異例を示すモデル図である。
【図３】コイル形状に巻かれた線材のコイル径を縮径させる縮径工程の一例を示すモデル図である。
【図４】形状記憶処理工程の一例を示すモデル図である。（ａ）正面図である。（ｂ）側面図である。（ｃ）縮径工程で用いるコイル縮径装置の主要部の正面図（縮径工程時）である。（ｄ）（ｃ）の側面図である。（ｅ）縮径工程で用いるコイル縮径装置の主要部の正面図（コイルの装置へのセット時）である。
【図５】コイル形状に巻かれた線材をスプリングワッシャ形状に切断する切断工程を示すモデル図である。
【図６】従来技術に係る形状記憶スプリングワッシャの製造方法を説明するためのモデル図である。（ａ）縮径前の状態を示す図である。（ｂ）縮径後の状態（製品）を示す図である。
【発明を実施するための形態】
【００１７】  本発明のコイル縮径装置が用いられる形状記憶スプリングワッシャの製造方法にについて、図面を用いて説明する。
【００１８】  本発明のコイル縮径装置で用いるスプリングワッシャの材料としては、所定の温度以上になったときに、予め決められた形状に戻る、一般に知られた形状記憶合金を用いる。このような物としては例えばチタン・ニッケル合金系（５０原子％程度のニッケルを含有する）の形状記憶合金が挙げられる。チタン・ニッケル合金は加熱されることによりマルテンサイト相からオーステナイト相に相変化して、オーステナイトであったときに記憶されていた元の形状に復元する。
【００１９】  このような形状記憶合金からなる線材を用いて必要に応じ、所定の太さ、断面形状となるように引き抜き成形し（図１に引き抜き成形時のモデル断面図を示す。なお、成形の結果、線材は図示するように図中α−αによる断面（α−α断面）から図中β−βによる断面（β−β断面）へと小径化している）、あるいは／及びローラ延伸する。
【００２０】  なお、断面形状としては、扁平形状ないし、略長方形状とすることにより、最終製品であるスプリングワッシャとしての”すわり”を良くすることができ、また、座金の、ねじ止め部材（電化製品の筐体を想定するとプラスチックであることが多い）への食い込みによる、機能不全（温度が所定の温度以上に上がっても、形状記憶スプリングワッシャが筐体などの比較的柔らかいプラスチック素材の表面に食い込んでしまって拡径できない等）を防止することができる。
【００２１】次いで、所定の内径（併用するねじの頭の径よりも大きい）でコイル状（螺旋状）に巻き取る。例えば、図２に示すように形状記憶合金からなる線材Ａを芯金Ｂに巻き付け、芯金Ｂを回転させることによりコイル状とすることができる。図中Ｃは加圧ローラであり、コイルの外周に圧接して、巻き上げ寸法を安定させている。
【００２２】  その後、コイル状の状態のまま、形状記憶処理を行う。このような形状記憶処理としては通常熱処理を行う。例えばチタン・ニッケル合金を形状記憶合金として用いる場合には３００℃程度の温度で行う。図３には、コイル状とした形状記憶合金からなる線材Ａ’を、ベルトコンベアＤ上に載せて、加熱炉Ｅを通過させて行う加熱処理のモデル図を示す）。このとき、用いる合金の種類、温度処理条件によりコイルの内径が変化する場合があるので、その場合はコイル加工する条件（芯金の太さ等）を予め調整し、最終的に必要な形状の形状記憶スプリングワッシャが得られるようにする。
【００２３】  上記形状記憶処理としての熱処理は通常、空気中で行うが、窒素、アルゴン等の不活性ガス内で行っても良く、また、処理後の冷却は通常、空気中での放置により行うが、送風機を用いる等により強制的に冷却しても良い。
【００２４】  形状記憶処理後に、縮径工程でコイル形状に巻かれた線材のコイル径を縮径させる。図４（図４（ａ）は正面図、図４（ｂ）は側面図）に示した例では形状記憶合金の線材からなるコイルＡ’の外周に３個の回転体としての回転ローラＦを一組としてコイルＡ’と同軸で回転させながら、コイルＡ’の未縮径部を回転ローラＦ間に徐々に供給して圧接によって縮径させて、縮径化コイルＡ”を得ている。
【００２５】  なお、この例では一組の回転ローラをコイルと同軸で回転させながら圧接したが、コイルの方を回転させても良い。このように、縮径工程がコイルの外周に接した２個以上の回転体によって行うことにより、生産性良く、容易に、均一に、かつ、安定して縮径させることができる。
【００２６】  ここで、このようなコイル縮径装置の３個１組の回転ローラＦを有する主要部にコイルＡ’をセットする場合、一時的に回転ローラＦ同士の距離を拡大させることにより、容易かつ迅速に行うことができる。
【００２７】  図４（ｃ）及び図４（ｄ）には、このようなコイル縮径装置の回転ローラＦを有する主要部の正面図及び側面図を、また、図４（ｅ）にはコイルをセットするために回転ローラＦ同士の距離を部分的に、大きく変更したときの正面図をそれぞれモデル的に示す。
【００２８】  主要部には、コイルＡ’の軸に直交する（この例では直交するが、ほぼ直交していれば（若干傾いても）良い）基板Ｇに設けられたローラＦが３つ、それぞれの回転軸が正三角形の頂点となる位置に配されている。この正三角形の中央部には、この主要部にコイルＡ’の未縮径部を供給するための供給孔Ｇ１が設けてある。この例では基板Ｇは３つのローラＦのうち２つを有する固定部Ｇ２と、他の１つを有する可動部Ｇ３とに供給孔を含む分割線Ｇ４で、蝶番部Ｇ５とロック部Ｇ６とによって必要時にのみ分割され、不必要時には固定可能となっている。
【００２９】  このような主要部に未縮径コイルＡ’をセットする場合には図４（ｅ）に示されるように可動部を蝶番部Ｇ５を用いて可動部Ｇ３を回動させて固定部Ｇ２から離間させることによって、３つのローラＦ同士の距離を部分的に拡大させる。未縮径コイルＡ’の主要部へのセット後に、図４（ｃ）及び図４（ｄ）に示すように、ローラＦの距離を所定の縮径が可能な距離に戻して、縮径処理を行う。このようにこのコイル縮径装置は、コイルＡ’を縮径するための縮径部がコイルＡ’外周から圧接するための、２つ以上（より好ましくは３つ以上：均一な縮径がより確実に可能となる）のローラＦを備えたコイル縮径装置であって、該ローラＦ同士の距離の少なくとも一部を一時的に拡大させる、ローラ距離拡大手段を備えたコイル縮径装置であり、距離拡大手段は上記分割線Ｇ４を有する基板Ｇ（あるいは、上記固定部Ｇ２及び可動部Ｇ３）と蝶番部Ｇ５とロック部Ｇ６とによって構成されている。
【００３０】  縮径工程で所定の径に縮径した後、次工程である切断工程で、縮径されたコイルＡ”の切断を行って、本発明に係る形状記憶スプリングワッシャを得ることができる。図５には、切断状況、及び得られた本発明に係る形状記憶スプリングワッシャＨをモデル的に示す。なお、このときの切断は通常のスプリングワッシャの製造のときの切断と同様に外刃Ｈ（図示）とコイル内側に配された内刃（図示しない）とにて実施され、本発明に係るコイル縮径装置を用いた形状記憶スプリングワッシャＩが完成する。
【００３１】  上記のように本発明に係るコイル縮径装置によれば、最終的に製品を得る工程である切断工程の直前までをコイル状のまま行うことができるので、生産性が高く、しかも、スプリングワッシャとして用いられる径に縮径させる縮径工程をコイル状のまま行うことができるので、歪みのない真円に近い形状のスプリングワッシャを得ることができる。
【産業上の利用可能性】
【００３２】  本発明に係るコイル縮径装置を用いた形状記憶スプリングワッシャの製造方法によれば、電化製品の易分解化や熱アクチュエータなどの分野に用いられる良質な形状記憶スプリングワッシャの安定した量産・供給が可能となる。
【符号の説明】
【００３３】Ａ      形状記憶合金からなる線材
Ａ’    形状記憶合金線材からなるコイル
Ａ”    形状記憶合金線材からなる、縮径されたコイル
Ｉ      本発明に係る方法により製造された形状記憶スプリングワッシャ
【図１】
2010201508.tif 000003
【図２】
2010201508.tif 000004
【図３】
2010201508.tif 000005
【図４】
2010201508.tif 000006
【図５】
2010201508.tif 000007
【図６】
2010201508.tif 000008